(57)【要約】      （修正有）【課題】室内側に配するシーリング材の支持力が低下した場合でも、ガラス板の取り外しを不能又は困難にする窓用建具を提供する。【解決手段】握手部を備える窓枠側を室内側、握手部を備えない窓枠側を屋外側としたときに、ガラス板１４の外周部を支持する断面略矩形状の抑え縁２０を、窓枠１２の開口部の屋外側に設ける一方、ガラス板１４の屋外側外周部を、抑え縁２０の室内側垂直面に密着させて配するとともに、ガラス板１４の室内側外周部に、ガラス板を水密に固定するシーリング材３０を設け、該シーリング材３０よりも室内側の位置に、ガラス板の室内側への移動を阻止するストッパ材４０を設ける。ストッパ材４０を設けたので、屋外側からガラス板１４を押し込んでも、ガラス板は室内側に移動せず、ガラス板の取り外しは不能又は困難になる。【選択図】図１
0003226103.tif 000002
【実用新案登録請求の範囲】
【請求項１】
開閉用の握手部を備える窓枠にガラス板を装着した窓用建具において、
前記握手部を備える窓枠側を室内側、
前記握手部を備えない窓枠側を屋外側としたときに、
前記ガラス板の外周部を支持する断面略矩形状の抑え縁を、
前記窓枠の開口部の屋外側に設ける一方、
前記ガラス板の屋外側外周部を、
前記抑え縁の室内側垂直面に密着させて配するとともに、
前記ガラス板の室内側外周部に、
当該ガラス板を水密に固定するシーリング材を設け、
当該シーリング材よりも室内側の位置に、
前記ガラス板の室内側への移動を阻止するストッパ材を設けることを特徴とする窓用建具。
【請求項２】
ストッパ材は、
窓枠の開口部の室内側に配するものであり、
ガラス板の四隅、
または、
ガラス板の上下両端部または／および左右両端部、
若しくは、
該ガラス板の上下両端部近傍または／および左右両端部近傍に配し、
当該ガラス板の室内側への移動を阻止する、
突出片または紐材であることを特徴とする請求項１記載の窓用建具。
【請求項３】
ガラス板と接する抑え縁の上端部に凹部を設け、
当該凹部にシーリング材を充填し、
当該シーリング材は、
前記ガラス板に密着させて配するものであることを特徴とする請求項１または請求項２に記載した窓用建具。
【請求項４】
ストッパ材は、
適宜箇所に、室内側および／または室内側から視認できる装飾材を備え、
当該装飾材は、脱着自在の固定部材を介して固定し、
取り外しおよび交換を可能としたことを特徴とする請求項１ないし請求項３のいずれか一に記載の窓用建具。
【考案の詳細な説明】
【技術分野】
【０００１】
本考案は、住宅の窓用建具に係り、特に、低層階の戸建住宅における窓ガラスのピッキング犯罪を防止する技術に関する。
【背景技術】
【０００２】
戸建住宅への無断侵入は、ドア鍵または窓ガラスの取り外しによって実行されることが少なくない。
【０００３】
玄関のドア鍵に関しては、近時、電子ロック錠など各種の技術改善が進み、玄関ドアの施錠を解除して住宅に無断侵入することは難しくなっている。
【０００４】
一方、戸建住宅の窓は、各種の防犯アラーム装置等が提案されているにも拘わらず、無断侵入の犯罪が生じやすい箇所である。
【０００５】
理由は、防犯アラーム装置が比較的高額であること、安全確保のためのセキュリティ保障の維持費用が高額である等、防犯を確実にするための経済的負担が大きいからである。
【０００６】
かかる事情に鑑みて、本出願人は、戸建住宅への無断侵入を防止する窓用建具を提案した（特許文献１）。
【０００７】
これは、図８に示すように、窓枠１に装着するガラス板２のシーリング材３を、室内側にのみ設けるとするものである。
【０００８】
それ以前の、住宅用の窓用建具は、ガラス板２のシーリング材３を、屋外側に配していた（図９参照）。このため、屋外側に露出しているシーリング材３を鋭利な器具等で取り外すことは容易であり、シーリング材３を取り外せば、窓ガラス２も容易に取り外すことが出来た。尚、図８、図９は、いずれも窓枠１の下辺断面図である。
【０００９】
このようなシーリング材３とガラス板２の取り外しは、熟練した者であれば、１〜２分程度で完了させることが出来る。ほぼ無音で実行できるから、近隣の住人も犯罪行為には気がつかない。
【００１０】
一方、特許文献１のように、ガラス板２のシーリング材３を、室内側にのみ設けた場合は、屋外側からシーリング材３を解除することは不可能となる。
【００１１】
このため、窓からの無断侵入は、ガラス板２を破壊する以外にないが、これは大きな音が発生するだけでなく、割れたガラス破片によって犯罪者もけがをする危険がある。
【００１２】
このため、シーリング材３を室内側にのみ設けた場合は、無断侵入の発生確率を大幅に低減できることになる。
【先行技術文献】
【特許文献】
【００１３】
【特許文献１】特開２００３−２７８４５２
【考案の開示】
【考案が解決しようとする課題】
【００１４】
問題は、シーリング材の劣化等による住宅侵入の可能性である。
【００１５】
ガラス板の外周部に設ける樹脂系のシーリング材は、紫外線や経年使用による劣化が起きる。また、清掃時や日常生活でシーリング材を部分的に損傷させる等の可能性がある。
【００１６】
劣化、部分損傷等が生じた場合、ガラス板の外周部を抑えるシーリング材の機能（支持力）は大きく低下する。
【００１７】
特許文献１のように、シーリング材を室内側にのみ設けた場合はピッキングによるガラス板の取り外しは出来ない。しかしながら、シーリング材の支持力が低下している場合は、ガラス板を屋外側から振動等を与えつつ押し込むことによって、ガラス板を取り外すことが出来る可能性が残る。
【００１８】
そこで、本考案の目的は、室内側に配するシーリング材の支持力が低下した場合でも、ガラス板の取り外しを困難または不能にすることにある。
【課題を解決するための手段】
【００１９】
前記目的を達成するため、本考案に係る窓用建具は、開閉用の握手部を備える窓枠にガラス板を装着した窓用建具を技術的前提として、前記握手部を備える窓枠側を室内側、前記握手部を備えない窓枠側を屋外側としたときに、前記ガラス板の外周部を支持する断面略矩形状の抑え縁を、前記窓枠の開口部の屋外側に設ける一方、前記ガラス板の屋外側外周部を、前記抑え縁の室内側垂直面に密着させて配するとともに、前記ガラス板の室内側外周部に、当該ガラス板を水密に固定するシーリング材を設け、当該シーリング材よりも室内側の位置に、前記ガラス板の室内側への移動を阻止するストッパ材を設ける（請求項１）。
【００２０】
かかる構成によれば、シーリング材よりも室内側となる位置に、ガラス板の室内側への移動を阻止するストッパ材を設けたので、屋外側からガラス板を押し込んでも、ガラス板は室内側に移動せず、従って、ガラス板の取り外しは困難または不能になる。
【００２１】
ストッパ材は、窓枠の開口部の室内側に配するものであり、ガラス板の四隅、または、ガラス板の上下両端部または／および左右両端部、若しくは、該ガラス板の上下両端部近傍または／および左右両端部近傍に配し、当該ガラス板の室内側への移動を阻止する突出片または紐材とする場合がある（請求項２）。
【００２２】
ストッパ材は、住宅の内装デザイン、外装デザインに応じて種々の意匠構成をとることが出来る。
【００２３】
外力に基づくガラス板の室内側への移動を防止するためには、ガラス板の外周全体にストッパ材を設けることが最も確実性が高いが、デザインの観点からいえば、窓ガラスの面積が若干小さくなる等の不利がある。
【００２４】
このため、ガラス板の四隅等、デザイン上好ましい位置にストッパ材を配し、窓用建具の外観品質を向上させることが好ましい。
【００２５】
住宅への侵入を防止するめには、ガラス板の室内側への移動を完全に防止する必要はない。ガラス板の取り外しを困難にさせ、取り外しに要する時間を数分でも多くすれば、住宅への侵入犯罪は確実に減少するからである。
【００２６】
ガラス板と接する抑え縁の上端部に凹部を設け、当該凹部にシーリング材を充填し、当該シーリング材は、前記ガラス板に密着させて配する場合がある（請求項３）。
【００２７】
かかる構成によれば、ガラス板の屋外側外周部に、当該ガラス板に密着するシーリング材を配することが出来、雨水の浸入を防止できる。
【００２８】
ガラス板の周囲は、請求項１に記載の通り、抑え縁の室内側垂直面に密着させて配するため、屋外側のシーリング材を取り外しても、ガラス板は抑え縁に密着された状態を保ち、ガラス板の取り外しは不能／困難である。
【００２９】
ストッパ材は、適宜箇所に、室内側および／または室内側から視認できる装飾材を備え、当該装飾材は、脱着自在の固定部材を介して固定し、取り外しおよび交換を可能とする場合がある（請求項４）。
【００３０】
ストッパ材は、機能性の面からいえば、平板の金属板／樹脂板を用いれば良い。しかし、住宅の窓用建具は、機能性を優先した無機質な部品だけでは需要を喚起できない。また、広く市場に普及させることも困難である。
【００３１】
請求項４のように、ストッパ材の適宜箇所に随時交換可能な装飾材を設ければ、室内装飾的な可能性をもたせることが出来、屋外側からの見栄えもよく、年間の祭事や誕生日など、必要に応じた飾りを行うことが出来るため、需要を喚起する可能性を高めることが出来る。
【考案の効果】
【００３２】
本考案に係る窓用建具によれば、シーリング材の支持力が低下した場合でも、ガラス板の取り外しを困難または不能にすることが可能となる。
【図面の簡単な説明】
【００３３】
【図１】第一の実施形態に係る窓用建具を例示する断面図である。
【図２】図１に示すストッパ材の配設位置を例示する図である。
【図３】第二の実施形態に係る窓用建具を例示する断面図である。
【図４】第三の実施形態に係る窓用建具を例示する断面図である。
【図５】第四の実施形態に係る窓用建具を例示する断面図である。
【図６】第五の実施形態に係る窓用建具を例示する断面図である。
【図７】第六の実施形態に係る窓用建具を例示する図である。
【図８】従来の窓用建具を例示する断面図である。
【図９】図８に示す窓用建具以前の窓用建具の構造を示す断面図である。
【考案を実施するための形態】
【００３４】
図１は、本考案に係る窓用建具の第一の実施形態を示すもので、窓枠の下辺の断面を例示している。
【００３５】
この窓用建具１０は、窓枠１２にガラス板１４を装着した窓用建具（１０）を技術的前提として、開閉用の握手部１６（図２参照）を備える窓枠１２側を室内側、握手部１６を備えない窓枠１２側を屋外側としたときに、ガラス板１４の外周部を支持する断面矩形状の抑え縁２０を、窓枠１２の開口部の屋外側に設けるものである。そして、ガラス板１４の屋外側外周部を、抑え縁２０の室内側垂直面に密着させて配する。
【００３６】
ガラス板１４を窓枠１２に固定するため、ガラス板１４の室内側外周部に、当該ガラス板１４を水密に固定するシーリング材３０を設け、このシーリング材３０よりも室内側の位置に、ガラス板１４の室内側への移動を阻止するストッパ材４０を設ける。
【００３７】
住宅用の窓枠１２は、例えばアルミサッシ等、軽金属板を折曲させて形成する。従って、断面矩形状の抑え縁２０も、各種の折曲／補強構造をとることができる。
【００３８】
抑え縁２０は、ガラス板１４の屋外側外周部を、例えば５〜１５ｍｍ程度の突出量をもって支持できれば良い。突出量が大きいほど支持性能は高まるが、窓枠１２の開口部面積が小さくなるので、窓枠１２の開口の四周（上辺、下辺、左右両側部）に設ける抑え縁２０の突出量は、ガラス板１４の大きさ（面積）や重量との関係で個別に設定することが望ましい。
【００３９】
ストッパ材４０は、窓枠１２の室内側の適宜箇所に、例えばネジ材４５等の固定手段を介して移動不能／取り外し可能の状態で配設する。
【００４０】
ストッパ材４０の配設箇所は、窓枠１２の四周（上辺、下辺、左右両側部）全部である必要はない。例えば、図２に示すように、窓枠１２の上辺と下辺に、それぞれ２箇所配するだけでも、ガラス板１４の室内側への移動を阻止できるからである。
【００４１】
ストッパ材４０は、この実施形態では、断面略Ｌ字状の板材として示してある。この形状が最も成形容易であり、取り扱いも容易だからである。
【００４２】
この場合、４０−１は、ガラス板１４の室内側への移動を阻止するストッパ本体部、４０−２は、窓枠１２の室内側の取付棚部に固定するための固定基盤として機能する。
【００４３】
ストッパ本体部４０−１の突出量は、抑え縁２０と同様、ガラス板１４の大きさ（面積）や重量との関係で個別に設定することが望ましい。普通の木造住宅に使用する窓の場合は、例えば、シーリング材３０の表面から５〜１０ｍｍ程度突出させれば、犯罪実行を遅延させ、或いは、ガラス板１４の移動を確実に阻止することが出来る。
【００４４】
ストッパ材４０は、例えば、金属板または樹脂板を用いることが出来る。経年劣化を避けるためには、防錆処理を施した強度の高い金属板（スチール等）を使用することが望ましい。
【００４５】
シーリング材３０は、ストッパ材４０の固定後に、適宜量を配設する。シーリング材３０は、ガラス板１４を窓枠１２の室内側に装着固定させる手段であるから、窓枠１２の開口の四周（上辺、下辺、左右両側部）全部に隙間なく設ける。
【００４６】
このシーリング材３０は、屋外側に配するものと異なり、雨水侵入防止という目的をもたないので、ガラス板１４を窓枠１２に確実に固定できる機能を果たせば良い。
【００４７】
かかる構成によれば、紫外線その他の経年劣化理由により、シーリング材３０が痩せてガラス板１４が外部からの力によって室内側へ動きやすい状態となっても、ストッパ材４０が、ガラス板１４の移動を阻止する。
【００４８】
このため、ガラス板１４を室内側に移動させた上での取り外しは不能または困難となり、いわゆるピッキングによる住宅侵入犯罪は確実に防止できる。
【００４９】
図３は、本考案に係る窓用建具の第二の実施形態を示すもので、ガラス板１４の屋外側外周部に、雨水等の浸入を防止するシーリング材５１を配するものである。その他の部分は前記実施形態と同じであるから、同一符号を附して重複する説明を省略する。
【００５０】
シーリング材５１は、室内側に用いるシーリング材３０と同様のもの、例えば、シリコン系、変成シリコン系、ウレタン系、アクリル系、ポリサルファイド系など各種のものを使用できる。
【００５１】
雨水等の浸入を防止するため、窓枠１２の開口の屋外側四周（上辺、下辺、左右両側部）全部に隙間なく設ける。好ましくは、下辺に設けるシーリング材５１の断面形状は、ガラス板１４側から外（室内側と反対の方向）にかって下降傾斜させた三角形状に設ける。雨水が、窓枠１２の外側に流れ出るようにするためである。
【００５２】
かかる構成によれば、雨水、融雪水、細かな塵が、抑え縁２０とガラス板１４との接触面に入り込む可能性を排除できる。また、シーリング材５１をピッキングにより取り外しても、前記実施形態と同様の構成に戻るため、ガラス板１４の取り外しは不能／困難のままである。
【００５３】
図４は、本考案に係る窓用建具の第三の実施形態を示すもので、ストッパ本体部４０−１の上縁部に、キャップ材５４を設けるものである。その他の部分は第一、第二の実施形態と同じであるから、同一符号を附して重複する説明を省略する。
【００５４】
ストッパ４０を肉薄板材によって成形した場合、ストッパ本体部４０−１の上縁部が鋭利となることがある。かかる場合、ストッパ本体部４０−１の上縁部をキャップ材５４によって被覆（被冠）すれば、日常生活における安全性を確保できる。なお、キャップ材５４を設けない場合は、ストッパ本体部４０−１の上縁部を研磨して、皮膚を傷つけないよう安全性を高めることが望ましい。
【００５５】
図５は、本考案に係る窓用建具の第四の実施形態を示すものである。この、実施形態は、ガラス板１４の下縁部から、窓枠１２の屋外側に下降傾斜させて設けた雨水排出部５７を備える構成である。
【００５６】
前記第三の実施形態で示したように、屋外側の四辺にシーリング材５１を設ければ、抑え縁２０とガラス板１４との接触面に雨水等が入り込む可能性はない。しかしながら、ピッキング等によってシーリング材５１の下辺が取り外された場合や、紫外線劣化等によってシーリング材５１の一部が破損した場合、窓枠１２の下辺に水等が入り込む可能性がある。
【００５７】
しかし、窓枠１２の屋外側に向かって下降傾斜させた雨水排出部５７を設ければ、万一、窓枠１２の下辺に水が浸入っしても屋外に速やかに排出できる。
【００５８】
雨水排出部５７の断面形状は、細管状、溝状、幅広角管状等、適宜設計できる。少量の雨水等を排出する機能があれば良い。
【００５９】
図６は、本考案に係る窓用建具の第五の実施形態を示すものである。この実施形態に係る窓用建具（１０）は、抑え縁２０の屋外側上部であって、前記各実施形態において、抑え縁２０とガラス板１４とが接触する部分として示した部位に凹溝を形成し、当該凹溝にシーリング材６０を配するものである。
【００６０】
窓枠１２の屋外側にシーリング材６０を配する点では、 前記第二の実施形態（図３）と同様であるが、本実施形態の場合は、シーリング材６０を凹溝に埋め込んで配設するため、紫外線等に起因するシーリング材６０の劣化を最小限に抑えることが出来る。このため、雨水等の浸入を長期にわたって保証できる。
【００６１】
かかる構成においても、抑え縁２０の室内側面とガラス板１４の屋外側面との上下方向の接触量（Ｗ１）がある程度の寸法であれば、ピッキングによってシーリング材６０を取り外しても、前記第一の実施形態と略同じ構成を保つことが出来る。従って、凹溝にシーリング材６０を配した場合も、ガラス板１４の取り外しは不能／困難である。シーリング材６０は、抑え縁２０の表面から若干突出させると、防水性能を高めることが出来る。シーリング材６０の突出部分を符号Ｗ２として例示した。
【００６２】
図７は、本考案に係る窓用建具の第六の実施形態を示すものである。この実施形態に係る窓用建具（１０）は、窓枠１２の室内側上下両端部の近傍に、略水平方向に延びる細長いストッパ材６５を設け、適宜箇所、例えばストッパ材６５の略中央部に、装飾材６７を取り外し可能（交換可能）に設けたものである。
【００６３】
６８は、ストッパ材６５の左右両端部を窓枠１２に固定するプレート（固定基盤）である。ストッパ材６５は、例えばネジを用いて窓枠１２に固定する。
【００６４】
ストッパ材６５は、例えば、金属または樹脂を用いた板材を用いる。ガラス板１４が屋外側から押圧されたときにも、当該押圧力に抗する剛性をもつよう、使用素材および肉厚を設定する。窓の視界面積を狭めないよう、ストッパ材６５の上下幅は可能な限り小さく設定することが望ましい。
【００６５】
装飾材６７は、適宜の固定手段、例えばクリップ、ネジ等を介してストッパ材６５に固定する。装飾材６７は、例えば、彩色や成形加工を施したガラス材、七宝焼きのような焼き物、木製飾り、金属製飾り、樹脂製飾り等、各種のものを使用することが出来る。
【００６６】
装飾材６７を交換可能に配することにより、無機質なストッパ材６５を室内側に露出させても室内の美観を損なわず、装飾材６７の交換により季節変化や年間行事等に柔軟に対応させることが出来、機能性と装飾性に優れるストッパ材６５の需要を高めることが出来る。
【００６７】
なお、本考案に係る窓用建具は前記説明のものに限定されない。例えば、ストッパ材は、ガラス板（１４）の四隅に適宜形状（例えば三角形）をもって固定配置しても良い。また、ガラス板（１４）の左右両端部にストッパ材を配しても良い。
【符号の説明】
【００６８】
１０  窓用建具
１２  窓枠
１４  ガラス板
１６  握手部
２０  抑え縁
３０  （室内側の）シーリング材
４０、６５  ストッパ材
４０−１  ストッパ本体部
４０−２  固定基盤
４５  ネジ材
５１、６０  （屋外側の）シーリング材
５４  キャップ材
５７  雨水排出部
６７  装飾材
６８  プレート（固定基盤）
Ｗ１  （抑え縁とガラス板の）上下方向の接触量
Ｗ２  シーリング材（６０）の突出部分
【図１】
0003226103.tif 000003
【図２】
0003226103.tif 000004
【図３】
0003226103.tif 000005
【図４】
0003226103.tif 000006
【図５】
0003226103.tif 000007
【図６】
0003226103.tif 000008
【図７】
0003226103.tif 000009
【図８】
0003226103.tif 000010
【図９】
0003226103.tif 000011